(57)【要約】【課題】設置面積当たりのデータ容量を向上させることができるディスク装置を提供する。【解決手段】本開示に係るディスク装置は、装置前方に配置され、複数のマガジンを格納する前部棚と、装置後方に配置され、複数のマガジンを格納する後部棚とを備える。各マガジンは、複数枚のディスクを積層した２つのディスクスタックを当該マガジンの長手方向に並列に収納するように構成されている。前部棚及び後部棚は、各マガジンを、当該マガジンの長手方向が装置前後方向に沿うように格納するように構成されている。前部棚と後部棚との間には、マガジンの長手方向の長さよりも大きい装置前後方向の幅を有する搬送通路が設けられている。【選択図】図１
2018113089.tif 000002
【特許請求の範囲】
【請求項１】
装置前方に配置され、複数のマガジンを格納する前部棚と、
装置後方に配置され、複数のマガジンを格納する後部棚と、
を備え、
各マガジンは、複数枚のディスクを積層した２つのディスクスタックを当該マガジンの長手方向に並列に収納するように構成され、
前記前部棚及び前記後部棚は、各マガジンを、当該マガジンの長手方向が装置前後方向に沿うように格納するように構成され、
前記前部棚と前記後部棚との間には、前記マガジンの長手方向の長さよりも大きい装置前後方向の幅を有する搬送通路が設けられている、
ディスク装置。
【請求項２】
ディスクに対してデータの記録又は再生を行う複数のディスクドライブと、
前記前部棚及び前記後部棚に格納された複数のマガジンの中から選択されたマガジンを、前記搬送通路を通じて前記複数のディスクドライブの近傍に搬送する搬送装置と、
を更に備える、請求項１に記載のディスク装置。
【発明の詳細な説明】
【技術分野】
【０００１】
本開示は、複数のディスクドライブのそれぞれにディスク（ＣＤやＤＶＤなどのディスク状の情報記憶媒体）を供給するディスク装置に関する。
【背景技術】
【０００２】
従来、この種のディスク装置として、例えば、特許文献１（特開２０１４−１３６３９号公報）に記載された装置が知られている。図３は、従来のディスク装置の構成を模式的に示す斜視図である。
【０００３】
従来のディスク装置は、装置前後方向Ｘ１に延在する２つのマガジンストッカー１０１，１０１を備えている。２つのマガジンストッカー１０１，１０１は、底シャーシ１１１上において、装置横方向Ｙ１に互いに対向するように設けられている。なお、図３では、一方（手前側）のマガジンストッカー１０１の図示を省略している。
【０００４】
各マガジンストッカー１０１には、複数のマガジン１０２が収納されている。各マガジン１０２は、複数枚のディスクを積層状態で収納するディスクトレイ（マガジントレイともいう）１２１と、ディスクトレイ１２１を収納するトレイホルダ（図示せず）とを有している。２つのマガジンストッカー１０１，１０１の間には、複数のマガジン１０２の中から選択された１つのマガジン１０２のトレイホルダからディスクトレイ１２１を引き出し、当該ディスクトレイ１２１を保持するピッカー１０３が設けられている。
【０００５】
ピッカー１０３は、当該保持したディスクトレイ１２１を、装置後方に配置された複数のディスクドライブ１０４の近傍まで搬送するように構成されている。ピッカー１０３には、ディスクトレイ１２１から複数枚のディスクを押し出すリフター１０５が一体的に設けられている。
【０００６】
ディスクドライブ１０４は、ディスクに対してデータの記録又は再生を行う装置である。また、ディスクドライブ１０４は、トレイを用いてディスクをローディングするトレイ方式のディスクドライブである。複数のディスクドライブ１０４は、装置高さ方向Ｚ１に積層され、装置後方において各マガジンストッカー１０１，１０１に隣接して配置されている。一方のマガジンストッカー１０１に隣接して積層配置された複数のディスクドライブ１０４と、他方のマガジンストッカー１０１に隣接して積層配置された複数のディスクドライブ１０４との間には、キャリア１０６が設けられている。
【０００７】
キャリア１０６は、リフター１０５により押し出された複数枚のディスクを積層状態で保持し、任意のディスクドライブ１０４から排出されたトレイの上方で、前記保持した複数枚のディスクから１枚のディスクを分離し、当該分離したディスクを前記トレイに載置するように構成されている。
【０００８】
キャリア１０６及び複数のディスクドライブ１０４より更に装置後方には、電気回路及び電源１０７が設けられている。電気回路及び電源１０７には、ピッカー１０３、ディスクドライブ１０４、キャリア１０６などの各装置の動作（モータ等）を制御する制御部が設けられている。当該制御部は、例えば、データを管理するホストコンピュータに接続されている。ホストコンピュータは、オペレータの指示に基づき、指定のマガジン１０２へのデータの記録又は再生等の動作を行うように制御部に指令を送る。制御部は、当該指令に従い、ピッカー１０３、ディスクドライブ１０４、キャリア１０６などの各装置の動作を制御する。
【先行技術文献】
【特許文献】
【０００９】
【特許文献１】特開２０１４−１３６３９号公報
【発明の概要】
【発明が解決しようとする課題】
【００１０】
従来のディスク装置は、１９インチラックなどの限られたスペースに設置されることを想定して構成されている。一般的な１９インチラックの前後方向の長さは、約１０００ｍｍであり、横方向の長さは約６００ｍｍである。
【００１１】
近年、クラウドコンピューティングの進展に伴い、データセンターなどの大量のデータを扱う施設が増加している。このため、同じ施設内に複数台のディスク装置の設置が求められることがある。これに対して、従来のディスク装置では、設置スペースをより有効に利用して、設置面積当たりのデータ容量を向上させるという観点において未だ改善の余地がある。
【００１２】
本開示の目的は、前記課題を解決することにあって、設置面積当たりのデータ容量を向上させることができるディスク装置を提供することにある。
【課題を解決するための手段】
【００１３】
本開示におけるディスク装置は、装置前方に配置され、複数のマガジンを格納する前部棚と、
装置後方に配置され、複数のマガジンを格納する後部棚と、
を備え、
各マガジンは、複数枚のディスクを積層した２つのディスクスタックを当該マガジンの長手方向に並列に収納するように構成され、
前記前部棚及び前記後部棚は、各マガジンを、当該マガジンの長手方向が装置前後方向に沿うように格納するように構成され、
前記前部棚と前記後部棚との間には、前記マガジンの長手方向の長さよりも大きい装置前後方向の幅を有する搬送通路が設けられている。
【発明の効果】
【００１４】
本開示のディスク装置によれば、設置面積当たりのデータ容量を向上させることができることができる。
【図面の簡単な説明】
【００１５】
【図１】実施形態に係るディスク装置の構成を模式的に示す平面図である。
【図２】実施形態に係るディスク装置の構成を模式的に示す側面図である。
【図３】従来のディスク装置の構成を模式的に示す斜視図である。
【発明を実施するための形態】
【００１６】
（本開示の基礎となった知見）
発明者らは、設置面積当たりのデータ容量を向上させるため、鋭意検討した結果、以下の新規な知見を得た。
【００１７】
従来のディスク装置では、複数のマガジンを格納するマガジンストッカーを装置の左右に対向配置し、それらの間に、ピッカーの移動通路である搬送通路を装置前後方向に延在するように設けている。この構成では、複数台のディスク装置を並列に互いに隣接するように配置した場合、各ディスク装置の長手方向である装置前後方向に搬送通路が設けられているため、複数台のディスク装置の設置面積に対してマガジンストッカーが占める割合が低くなる。このため、複数台のディスク装置全体としてのデータ容量が低くなる。
【００１８】
これに対して、発明者らは、複数のマガジンを格納する前部棚と後部棚とを装置前後方向に対向配置し、それらの間に搬送通路を設けるように構成することを見出した。この構成によれば、各ディスク装置の短手方向である装置横方向に搬送通路が延在することになる。また、発明者らは、一般的なディスクの大きさが直径１２ｃｍであり、１９インチラックの前後方向の長さが約１０００ｍｍであることを鑑み、２つのディスクスタックを並列に収納するように各マガジンを構成することを見出した。これらの構成により、装置前後方向の長さが制限されたスペースにおいても、ディスクをより密に配置することができ、設置スペースをより有効に利用することができる。これらの新規な知見に基づき、発明者らは、以下の発明に至った。
【００１９】
本開示の第１態様によれば、装置前方に配置され、複数のマガジンを格納する前部棚と、
装置後方に配置され、複数のマガジンを格納する後部棚と、
を備え、
各マガジンは、複数枚のディスクを積層した２つのディスクスタックを当該マガジンの長手方向に並列に収納するように構成され、
前記前部棚及び前記後部棚は、各マガジンを、当該マガジンの長手方向が装置前後方向に沿うように格納するように構成され、
前記前部棚と前記後部棚との間には、前記マガジンの長手方向の長さよりも大きい装置前後方向の幅を有する搬送通路が設けられている、
ディスク装置を提供する。
【００２０】
本開示の第２態様によれば、ディスクに対してデータの記録又は再生を行う複数のディスクドライブと、
前記前部棚及び前記後部棚に格納された複数のマガジンの中から選択されたマガジンを、前記搬送通路を通じて前記複数のディスクドライブの近傍に搬送する搬送装置と、
を更に備える、第１態様に記載のディスク装置を提供する。
【００２１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２２】
なお、発明者らは、当業者が本開示を十分に理解するために添付図面及び以下の説明を提供するものであって、これらによって特許請求の範囲に記載の主題を限定することを意図するものではない。
【００２３】
《実施形態》
図１は、実施形態に係るディスク装置の概略構成を示す平面図である。図２は、実施形態に係るディスク装置の概略構成を示す側面図である。なお、実施形態においては、図１の下側を「装置前方」とし、図１の上側を「装置後方」とする。
【００２４】
実施形態に係るディスク装置１は、図１に示すように、基本ユニット２と、複数の拡張ユニット３と、サブユニット４とを備えている。
【００２５】
基本ユニット２には、ディスクに対してデータの記録又は再生を行う複数のディスクドライブ２１が配置されている。各ディスクドライブ２１は、ディスクが載置されるトレイ２１ａを備えている。ディスクは、例えば、直径１２ｃｍの光ディスクである。複数のディスクドライブ２１は、例えば、装置前後方向Ｙにｍ台（ｍは自然数）並列に配置され、装置上下方向Ｚにｎ台（ｎは自然数）並列に配置されている。すなわち、複数のディスクドライブ２１は、基本ユニット２の内部にｍ×ｎ台配置されている。
【００２６】
また、基本ユニット２の上方の空間２２には、各装置の動作を制御する制御部や電源（図示せず）が設けられている。当該制御部は、例えば、データを管理するホストコンピュータに接続されている。ホストコンピュータは、オペレータの指示に基づき、指定のマガジンへのデータの記録又は再生等の動作を行うように制御部に指令を送る。制御部は、当該指令に従い各装置の動作を制御する。
【００２７】
複数の拡張ユニット３は、基本ユニット２に対して装置横方向Ｘに並列に配置されている。実施形態においては、２つの拡張ユニット３，３が基本ユニット２に対して装置横方向Ｘに並列に配置されている。各拡張ユニット３は、装置前方に配置された前部棚３１と、装置後方に配置された後部棚３２とを備えている。
【００２８】
前部棚３１及び後部棚３２には、複数のマガジン５がそれぞれ格納されている。複数のマガジン５は、例えば、装置横方向Ｘにｓ個（ｓは自然数）並列に配置され、装置上下方向Ｚにｔ個（ｔは自然数）並列に配置されている。すなわち、複数のマガジン５は、拡張ユニット３の内部にｓ×ｔ×２個配置されている。
【００２９】
各マガジン５は、図１に示すように、複数枚のディスクを積層した２つのディスクスタック５１，５１を当該マガジン５の長手方向に並列に収納するように構成されている。各ディスクスタック５１は、例えば、２４枚のディスクを積層した積層体である。この場合、各マガジン５は、４８枚（２４×２）のディスクを収納することになる。
【００３０】
前部棚３１及び後部棚３２は、各マガジン５を、当該マガジン５の長手方向が装置前後方向Ｙに沿うように格納するように構成されている。前部棚３１と後部棚３２との間には、搬送通路３３が設けられている。搬送通路３３は、マガジン５の長手方向の長さよりも大きい装置前後方向Ｙの幅を有している。これにより、前部棚３１及び後部棚３２に格納された任意のマガジン５を、向きを変えることなく、搬送通路３３内に引き出すことができる。
【００３１】
互いに隣接する拡張ユニット３，３の搬送通路３３，３３は、装置横方向Ｘに延在するように連結されている。また、基本ユニット２に隣接する拡張ユニット３の搬送通路３３は、基本ユニット２の内部に連通している。
【００３２】
搬送通路３３には、搬送装置６が移動可能に設けられている。搬送装置６は、前部棚３１及び後部棚３２に格納された複数のマガジン５の中から選択されたマガジンを、搬送通路３２を通じて複数のディスクドライブ２１の近傍に搬送するように構成されている。複数のディスクドライブ２１の近傍に搬送されたマガジン５内の複数枚のディスクは、図示しないキャリアにより各ディスクドライブ２１のトレイ２１ａに載置され、各ディスクドライブ２１の内部に搬送されてデータの記録又は再生が行われる。
【００３３】
基本ユニット２及び拡張ユニット３の装置前後方向Ｙの長さＬ１は、一般的な１９インチラックと同じ約１０００ｍｍである。基本ユニット２、拡張ユニット３、及びサブユニット４の装置横方向Ｘの長さＬ２は、一般的な１９インチラックと同じ約６００ｍｍである。
【００３４】
サブユニット４には、搬送通路３３に連通し、搬送装置６が移動可能な空間４１が設けられている。空間４１は、最もサブユニット４に近接する拡張ユニット３の前部棚３１又は後部棚３２のマガジン５を搬送装置６が挿抜等する際に、搬送装置６が位置する空間である。また、空間４１には、搬送装置６に電力を供給する電源部等が設置される。
【００３５】
実施形態によれば、複数のマガジン５を格納する前部棚３１と後部棚３２とを装置前後方向Ｙに対向配置し、それらの間に搬送通路３３を設けるように構成されている。また、各マガジン５がディスクスタック５１を並列に収納するように構成されている。この構成によれば、装置前後方向Ｙの長さが制限されたスペースにおいても、ディスクをより密に配置することができ、設置スペースをより有効に利用することができる。これにより、設置面積当たりのデータ容量を向上させることができる。
【００３６】
また、実施形態によれば、設置スペースに応じて拡張ユニット３の数を増加させることで、設置面積当たりのデータ容量をより一層向上させることができる。
【００３７】
なお、本発明は前記実施形態に限定されるものではなく、その他種々の態様で実施できる。例えば、図１では、各拡張ユニット３において、装置横方向Ｘに３個のマガジン５が配置されるように図示したが、本発明はこれに限定されない。例えば、各拡張ユニット３は、装置横方向Ｘに４個のマガジン５が配置されるように構成されてもよい。
【００３８】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３９】
また、前述の実施形態は、本開示における技術を例示するためのものであるから、特許請求の範囲又はその均等の範囲において種々の変更、置き換え、付加、省略などを行うことができる。
【産業上の利用可能性】
【００４０】
本開示にかかるディスク装置は、設置面積当たりのデータ容量を向上させることができので、特に、データセンターなどの大量のデータを扱う施設に用いるディスク装置に有用である。
【符号の説明】
【００４１】
１    ディスク装置
２    基本ユニット
３    拡張ユニット
４    サブユニット
５    マガジン
６    搬送装置
２１    ディスクドライブ
２１ａ  トレイ
２２    空間
３１    前部棚
３２    後部棚
３３    搬送通路
４１    空間
５１    ディスクスタック
【図１】
2018113089.tif 000003
【図２】
2018113089.tif 000004
【図３】
2018113089.tif 000005